(57)【要約】【課題】空気調和機の輸送時等におけるファンモータのベアリングの損傷を防止する。【解決手段】固定部材７０は、板状の部材であって、規制部７０ａと、規制部７０ａから延出する延出部７０ｂと、を備えている。固定部材７０は、室内機１に収納されているターボファン６２と、ターボファン６２を室内機１に取り付けるファン取付部５３ｄとの間の距離とほぼ一致する厚みを備える。このため、規制部７０ａは、ターボファン６２とファン取付部５３ｄとの隙間を埋める。これにより、固定部材７０は、ターボファン６２がファン取付部５３ｄに対する傾斜角度が変化する方向への移動を規制することができる。また、室内機１が据え付けられたあと、延出部７０ｂを室内機１のケーシング５０に設けられた下側吹出口５２ｂから引っ張り出すことにより、固定部材７０を室内機１から容易に取り外すことができる。【選択図】図３
2010151389.tif 000002
【特許請求の範囲】
【請求項１】
開口を有するケーシング内において取付部に保持された遠心ファンを備えた空気調和機に取り付けられた取り付け状態において、
前記取付部に対する傾斜角度が変化する方向への前記遠心ファンの移動を規制すると共に、前記開口からの取り外しが可能である、
ことを特徴とする固定部材。
【請求項２】
前記取り付け状態において、
前記取付部に対する傾斜角度が変化する方向への前記遠心ファンの移動を規制する規制部と、
前記規制部から前記開口近傍まで延出する延出部と、
を備えることを特徴とする請求項１記載の固定部材。
【請求項３】
前記規制部は、前記遠心ファンと前記取付部との間の少なくとも一部に配置される部分を含む、
ことを特徴とする請求項２記載の固定部材。
【請求項４】
前記遠心ファンは、前記取付部に設けられた駆動部に保持されており、
前記規制部は、
取り付け状態において前記駆動部が通過する孔と、
前記孔から外側に向かって外端まで延在する第１切り込みと、
を備えることを特徴とする請求項２又は３記載の固定部材。
【請求項５】
前記第１切り込みは、前記孔に対して前記延出部の延出方向と反対側に向かって延在する、
ことを特徴とする請求項４記載の固定部材。
【請求項６】
前記第１切り込みの幅は、前記孔の径より狭い、
ことを特徴とする請求項４または５記載の固定部材。
【請求項７】
前記第１切り込みの幅は、前記孔の径と略同一である、
ことを特徴とする請求項４または５記載の固定部材。
【請求項８】
前記孔から外側に向かって延在する第２切り込みを備える、
ことを特徴とする請求項４乃至７記載の固定部材。
【請求項９】
前記第２切り込みは、前記孔から前記延出部の延出方向に延在する、
ことを特徴とする請求項８記載の固定部材。
【請求項１０】
前記第１切り込みの両側の少なくとも一方の外端には、第１切り欠きが形成されている、
ことを特徴とする請求項４乃至９のいずれか１項記載の固定部材。
【請求項１１】
前記孔より前記延出部側の部分の外端には、第２切り欠きが形成されている、
ことを特徴とする請求項４乃至１０のいずれか１項記載の固定部材。
【請求項１２】
前記第２切り欠きは、前記孔に対して前記第１切り込みと反対側に形成されている、
ことを特徴とする請求項１１記載の固定部材。
【請求項１３】
前記孔より前記第１切り込み側の部分の全幅は、前記孔より前記延出部側の部分の全幅より狭い、
ことを特徴とする請求項４乃至１２のいずれか１項記載の固定部材。
【請求項１４】
前記第１切り込みが延在する外端に近付くにつれて全幅が狭くなる、
ことを特徴とする請求項１３記載の固定部材。
【請求項１５】
請求項１乃至１４のいずれか１項記載の固定部材を備える空気調和機。
【請求項１６】
請求項１５記載の空気調和機を備える空気調和システム。
【発明の詳細な説明】
【技術分野】
【０００１】
本発明は、空気調和機に格納された遠心ファンを輸送時等に固定する固定部材、それを備える空気調和機及びこの空気調和機を備える空気調和システムに関する。
【背景技術】
【０００２】
特許文献１には、図１９に示すように、熱交換器１５と、この熱交換器１５の上流側にあるシロッコファン２１とが鉛直方向に配設され、シロッコファン２１から、鉛直方向に対して幅方向に傾いて空気が吹き出される床置型空気調和装置２が記載されている。
【０００３】
【特許文献１】特開２００２−２７６９７３号公報
【発明の開示】
【発明が解決しようとする課題】
【０００４】
一般に、遠心ファンは、遠心ファンを貫通する軸によって保持されており、この軸には、遠心ファンの重量によって軸方向に対して不均一な負荷がかかる。このため、例えば空気調和機を輸送する際に、ファンモータのベアリングは、不均一な負荷がかかることにより、損傷してしまうことがあり、ベアリングが損傷すると、空気調和機の運転時に異音が生じる等の不具合が生じる。特に、空気調和機の空気調和能力を向上させることを目的として、遠心ファンを大型化した場合、上記不具合が顕著になる。
【０００５】
そこで、この発明は、上記のような課題を解決するためになされたものであり、輸送時等におけるファンモータのベアリングの損傷を防止することができる遠心ファンの固定部材、それを備えた空気調和機及びこの空気調和機を備えた空気調和システムを提供することを目的とする。
【課題を解決するための手段】
【０００６】
第１の発明に係る固定部材は、開口を有するケーシング内において取付部に保持された遠心ファンを備えた空気調和機に取り付けられた取り付け状態において、取付部に対する傾斜角度が変化する方向への遠心ファンの移動を規制すると共に、開口からの取り外しが可能である。
【０００７】
この固定部材では、取付部に対する傾斜角度が変化する方向への遠心ファンの移動を制限することにより、ファンモータの軸受にかかる負荷が軽減され、ファンモータのベアリングの損傷を防止することができる。また、輸送時に遠心ファンと空気調和機のケーシングとが衝突し、両部材が損傷するのを防止することができる。さらに、据え付け後に、固定部材を空気調和機から容易に取り外すことができる。
【０００８】
第２の発明に係る固定部材は、第１の発明に係る固定部材において、空気調和機に取り付けた状態で、取付部に対する傾斜角度が変化する方向への遠心ファンの移動を規制する規制部と、規制部から開口近傍まで延出する延出部とを備える。
【０００９】
この固定部材では、規制部が取付部に対する傾斜角度が変化する方向への遠心ファンの移動を制限することにより、ファンモータのベアリングの損傷を防止することができる。また、空気調和機を据え付け後に、延出部を引っ張り出すことにより、固定部材を空気調和機から容易に取り外すことができる。
【００１０】
第３の発明に係る固定部材は、第２の発明に係る固定部材において、規制部が遠心ファンと取付部との間の少なくとも一部に配置される部分を含む。
【００１１】
この固定部材では、遠心ファンの移動を容易に制限することができる。
【００１２】
第４の発明に係る固定部材は、第２又は第３の発明に係る固定部材において、遠心ファンが取付部に設けられた駆動部に保持されている。さらに、規制部は、取り付け状態において駆動部が通過する孔と、その孔から外端まで延在する第１切り込みと、を備えている。
【００１３】
この固定部材では、ケーシングの開口において延出部を引っ張り出すことにより、駆動部が第１切り込みを通過し、固定部材を空気調和機から容易に取り外すことができる。
【００１４】
第５の発明に係る固定部材は、第４の発明に係る固定部材において、第１切り込みが孔に対して延出部の延出方向と反対側に向かって延在する。
【００１５】
この固定部材では、ケーシングの開口において延出部を引っ張り出す際に、固定部材を延出部の延出方向に沿って空気調和機から容易に取り外すことができる。
【００１６】
第６の発明に係る固定部材は、第４又は第５の発明に係る固定部材において、第１切り込みの幅が孔の径よりも狭い。
【００１７】
この固定部材では、孔を通過している遠心ファンの駆動部が第１切り込みから容易に外れることがなく、遠心ファンを確実に固定することができる。
【００１８】
第７の発明に係る固定部材は、第４又は第５の発明に係る固定部材において、第１切り込みの幅が孔の径と略同一である。
【００１９】
この固定部材では、簡易な形状の部材で遠心ファンの移動を規制することができる。
【００２０】
第８の発明に係る固定部材は、第４から第７のいずれかの発明に係る固定部材において、孔から外側に向かって延在する第２切り込みを備えている。
【００２１】
この固定部材では、遠心ファンの駆動部が第１切り込みを通過しやすくなり、固定部材を容易に引っ張り出すことができる。
【００２２】
第９の発明に係る固定部材は、第８の発明に係る固定部材において、第２切り込みが孔から延出部の延出方向に延出する。
【００２３】
この固定部材では、遠心ファンの駆動部が第１切り込みを通過しやすくなり、固定部材をさらに容易に引っ張り出すことができる。
【００２４】
第１０の発明に係る固定部材は、第４から第９のいずれかの発明に係る固定部材において、第１切り込みの両端の少なくとも一方の外端には、第１切り欠きが形成されている。
【００２５】
この固定部材では、固定部材を空気調和機から取り外す際に、固定部材が幅方向に広がらないようにすることができる。
【００２６】
第１１の発明に係る固定部材は、第４から第１０のいずれかの発明に係る固定部材において、孔より延出部側の部分の外端に第２切り欠きが形成されている。
【００２７】
この固定部材では、固定部材を空気調和機から取り外す際に、固定部材の第１切り込み側が幅方向に広がるのに伴って、第２切り欠きが幅方向に狭まるため、固定部材を容易に取り外すことができる。
【００２８】
第１２の発明に係る固定部材は、第１１の発明に係る固定部材において、第２切り欠きが、孔に対して第１切り込みと反対側に形成されている。
【００２９】
この固定部材では、固定部材を空気調和機から取り外す際に、固定部材の第１切り込み側の部分が幅方向に広がるのに伴って、第２切り欠きが幅方向に狭まるため、固定部材を容易に取り外すことができる。
【００３０】
第１３の発明に係る固定部材は、第４から第１２のいずれかの発明に係る固定部材において、孔より第１切り込み側の部分の全幅が、孔より延出部側の部分の全幅より狭い。
【００３１】
この固定部材では、固定部材を空気調和機から取り外す際に、固定部材の第１切り込み側の部分の幅が固定部材全体の幅より広がらないようにすることができる。
【００３２】
第１４の発明に係る固定部材は、第１３の発明に係る固定部材において、第１切り込みが延在する外端に近づくにつれて全幅が狭くなる。
【００３３】
この固定部材では、固定部材を空気調和機から引っ張り出す際に、固定部材の第１切り込み側の部分の幅が固定部材全体の幅より広がらないようにすることができる。
【００３４】
第１５の発明に係る空気調和機は、第１から第１４のいずれかの発明に係る固定部材を備える。
【００３５】
この空気調和機では、空気調和機に格納されている遠心ファンを確実に固定することができる。
【００３６】
第１６の発明に係る空気調和システムは、第１５の発明に係る空気調和機を備える。
【００３７】
この空気調和システムでは、空気調和機に格納されている遠心ファンを確実に固定することができる。
【発明の効果】
【００３８】
以上の説明に述べたように、本発明によれば、以下の効果が得られる。
【００３９】
第１の発明では、取付部に対する傾斜角度が変化する方向への遠心ファンの移動を制限することにより、ファンモータの軸にかかる負荷が軽減され、ファンモータのベアリングの損傷を防止することができる。また、輸送時に遠心ファンと空気調和機のケーシングとが衝突し、両部材が損傷するのを防止することができる。さらに、空気調和機を据え付け後に、固定部材を空気調和機から容易に取り外すことができる。
【００４０】
第２の発明では、規制部が取付部に対する傾斜角度が変化する方向への遠心ファンの移動を制限することにより、ファンモータのベアリングの損傷を防止することができる。また、空気調和機を据え付け後に、延出部を引っ張り出すことにより、固定部材を空気調和機から容易に取り外すことができる。
【００４１】
第３の発明では、遠心ファンの移動を容易に制限することができる。
【００４２】
第４の発明では、ケーシングが備える開口において延出部を引っ張り出すことにより、駆動部が第１切り込みを通過し、固定部材を空気調和機から容易に取り外すことができる。
【００４３】
第５の発明では、ケーシングが備える開口において延出部を引っ張り出す際に、固定部材を延出部の延出方向に沿って空気調和機から容易に取り外すことができる。
【００４４】
第６の発明では、孔を通過している遠心ファンの駆動部が第１切り込みから容易に外れることがなく、遠心ファンを確実に固定することができる。
【００４５】
第７の発明では、簡易な形状の部材で遠心ファの移動を規制することができる。さらに、固定部材の形状が簡易であるため、固定部材の製造コストを抑制することができる。
【００４６】
第８及び第９の発明では、遠心ファンの駆動部が第１切り込みを通過しやすくなり、固定部材を容易に引っ張り出すことができる。
【００４７】
第１０の発明では、固定部材を空気調和機から取り外す際に、固定部材が幅方向に広がらないようにすることができる。
【００４８】
第１１及び第１２の発明では、固定部材を空気調和機から取り外す際に、固定部材を第１切り込みが幅方向に広がるのに伴って、第２切り欠きが幅方向に狭まるため、他の部材と接することなく、固定部材を容易に取り外すことができる。
【００４９】
第１３及び第１４の発明では、固定部材を空気調和機から取り外す際に、固定部材の第１切り込み側の部分の幅が固定部材全体の幅より広がらないようにすることができる。
【００５０】
第１５及び第１６の発明では、空気調和機に格納されている遠心ファンを確実に固定することができる。
【発明を実施するための最良の形態】
【００５１】
以下、図面に基づいて、本発明に係る固定部材の実施形態について説明する。
【００５２】
［第１実施形態］
図１は、本発明の第１実施形態に係る固定部材を備える空気調和機からなる空気調和システムの冷媒回路図である。図２は、床置型室内機の外観を示した斜視図である。図３は、図２に示した床置型室内機の断面図である。図４は、図２に示した床置型室内機に備え付けられたターボファンと固定部材との位置関係を示す正面図である。図５は固定部材の外観を示す図である。図６は、図５に示す固定部材を正面から視た図である。図７は、図５及び図６に示す固定部材を床置型室内機から取り外す際の固定部材の形状の変化を示す図である。以下、図１〜図７を参照して、本発明の第１実施形態に係る固定部材について説明する。
【００５３】
＜空気調和システム＞
第１実施形態に係る空気調和システム１００は、調和された空気を室内に供給するための装置であって、図１に示すように、室内に設置される床置型室内機（以下、室内機と略記する）１と、室外に設置される室外機２と、室内機１と室外機２とを接続する接続配管３とを備えており、室内機１及び室外機２内に収納された機器・弁類と、接続配管３とが接続されて冷媒回路を構成している。冷媒回路は、主として、室内熱交換器１０、室外熱交換器２０、アキュムレータ２１、圧縮機２２、四路切換弁２３および電動膨張弁２４により構成される。
【００５４】
上記構成の空気調和システム１００において、暖房運転時には、四路切換弁２３を実線に係る位置に切り換える。これにより、圧縮機２２から吐出された高温高圧冷媒が四路切換弁２３を通って室内熱交換器１０に流入する。そして、室内熱交換器（凝縮器）１０で凝縮した冷媒は、電動膨張弁２４で減圧された後、室外熱交換器２０に流入する。そして、室外熱交換器（蒸発器）２０で蒸発した冷媒が、四路切換弁２３及びアキュムレータ２１を介して、圧縮機２２の吸入側に戻る。このようにして、室内熱交換器１０の周囲の空気が加熱されて、温風が室内に供給される。
【００５５】
また、冷房運転時には、四路切換弁２３を点線に係る位置に切り換える。これにより、圧縮機２２から吐出された高温高圧冷媒が四路切換弁２３を通って室外熱交換器２０に流入する。そして、室外熱交換器（凝縮器）２０で凝縮した冷媒は、電動膨張弁２４で減圧された後、室内熱交換器１０に流入する。そして、室内熱交換器（蒸発器）１０で蒸発した冷媒が、四路切換弁２３及びアキュムレータ２１を介して、圧縮機２２の吸入側に戻る。このようにして、室内熱交換器１０の周囲の空気が冷却されて、冷風が室内に供給される。
【００５６】
＜室外機＞
室外機２は、圧縮機２２と、圧縮機２２の吐出側に接続された四路切換弁２３と、圧縮機２２の吸入側に接続されたアキュムレータ２１と、四路切換弁２３に接続された室外熱交換器２０と、室外熱交換器２０に接続された電動膨張弁２４と、室外熱交換器２０に付設される室外ファン２５とを備えている。電動膨張弁２４は、液冷媒配管３１に接続されており、この液冷媒配管３１を介して室内熱交換器１０の一端と接続されている。また、四路切換弁２３は、ガス冷媒配管３２に接続されており、このガス冷媒配管３２を介して室内熱交換器１０の他端と接続されている。なお、冷媒配管３１及び３２は、上記した接続配管３に相当する。
【００５７】
＜室内機＞
室内機１は、図２及び図３に示すように、床置型の室内機であって、主として、ケーシング５０と、ケーシング５０の内部に収容される室内熱交換器１０及びファンユニット６０とを備えている。
【００５８】
＜ケーシング＞
室内機１の外観を構成するケーシング５０は、前面パネル５１と、前面グリル５２と、底フレーム５３と、背面断熱材５４とを備えており、室内機１の前面側から前面パネル５１、前面グリル５２、底フレーム５３、背面断熱材５４の順に配置される。このケーシング５０により形成される内部空間は、図４に示すように、室内熱交換器１０やファンユニット６０等が設置されるファン室５０Ａと、電装品ユニット等が設けられる配管室５０Ｂとに区分される。
【００５９】
前面パネル５１は、図２及び図３に示すように、前面グリル５２に取り付けられるフィルタ５５を覆うように取り付けられている。この前面パネル５１の上部には上側吸込口５１ａが設けられると共に、前面パネル５１の下部には下側吸込口５１ｂが設けられている。さらに、前面パネル５１の左右の側面には、側方吸込口５１ｃが設けられている。この上側吸込口５１ａ及び下側吸込口５１ｂは、室内機１の幅方向（Ｘ方向）に長尺な開口であると共に、側方吸込口５１ｃは、室内機１の上下方向（Ｚ方向）に長尺な開口である。これにより、上下左右の四方向から室内空気を吸い込むことが可能となり、当該吸込口５１ａ，５１ｂ，５１ｃから吸い込んだ空気を均等に室内熱交換器１０へ通過させることが可能となる。
【００６０】
前面グリル５２は、図２及び図３に示すように、前面パネル５１と室内熱交換器１０との間に設けられている。この前面グリル５２の上部には、上側吹出口５２ａが設けられると共に、前面グリル５２の下部には、下側吹出口５２ｂが設けられている。この上側吹出口５２ａ及び下側吹出口５２ｂは、共に幅方向（Ｘ方向）に長尺な開口である。上側吹出口５２ａの内側には、吹出口中央支持部４０が設けられている。この吹出口中央支持部４０は、例えば金属製であって、人の手などが送風ファンと接触しないようにするためのものである。また、前面グリル５２の中央部分には、略長方形状の開口５２ｃが設けられている。この開口５２ｃには、前面パネル５１の各吸込口５１ａ，５１ｂ，５１ｃから吸い込まれた空気に含まれる塵埃を捕集するフィルタ５５が設けられている。
【００６１】
底フレーム５３は、図３に示すように、後述するファンユニット６０と背面断熱材５４との間に設けられている。この底フレーム５３は、室内機１の底部分を形成する底部５３ａと、その底部５３ａから立設する立設部５３ｂとを含んでいる。底部５３ａには、接続配管３を配管室５０Ｂ（図４参照）に導入するための配管導入口５３ｃが設けられている。また、ファンユニット６０は、ファンユニット６０の背面に設けられた高さ方向（Ｚ方向）に立設する板状のファン取付部５３ｄに、ネジ止めされている。このファン取付部５３ｄは、複数の凹凸を備える板金であって、凹凸のない平坦部分は、立設部５３ｂと背面断熱材５４との間に配設され、凹凸部の一部は、ファンユニット６０を構成するファンモータ６１と直接接触している。そして、ターボファン６１は、このファン取付部５３ｄの凹凸部においてネジ止めされ、ファン取付部５３ｄと係合している。
【００６２】
背面断熱材５４は、底フレーム５３の背面側に設けられ、断熱材として機能する。
【００６３】
このように構成されたケーシング５０内には、図３に示すように、後述するターボファン６２から上側吹出口５２ａへと向かう上側通風路５０ａが形成されている。この上側通風路５０ａは、底フレーム５３の内壁面に沿って形成されており、ターボファン６２から上側吹出口５２ａに向かって前方且つ上方に向かって湾曲しつつ延びている。この上側通風路５０ａ上には、上側吹出口５２ａから吹き出される風の水平方向に関する風向を制御する水平フラップ４１、及び、垂直方向に関する風向を制御する垂直フラップ４２が設けられている。また、ケーシング５０内には、ターボファン６２から下側吹出口５２ｂへと向かう下側通風路５０ｂが形成される。下側通風路５０ｂは、ターボファン６２から下側吹出口５２ｂに向かって前方且つ下方に向かって湾曲しつつ延びている。この下側通風路５０ｂ上には、下側吹出口５２ｂから吹き出される風の水平方向に関する風向を制御する垂直フラップ４３が設けられている。
【００６４】
＜室内熱交換器＞
室内熱交換器１０は、吸込口５１ａ及び５１ｂから吸い込まれた室内空気との間で熱交換を行うために設けられている。この室内熱交換器１０は、図３に示すように、ファンユニット６０と前面グリル５２との間に配置されており、ファンユニット６０の風上側で熱交換を行っている。
【００６５】
＜ベルマウス＞
また、室内熱交換器１０とファンユニット６０との間には、ベルマウス１１が設けられている。このベルマウス１１は、室内熱交換器１０を通過した空気を後述するターボファン６２に導くガイドとして機能する。
【００６６】
＜ファンユニット＞
ファンユニット６０は、図３に示すように、室内熱交換器１０の風下側に設けられており、駆動源となるファンモータ６１と、遠心方向に向かう空気流を発生させる遠心ファンの一種であるターボファン６２とを備えている。このファンユニット６０によって生成される空気流は、上記の上側通風路５０ａを介して上側吹出口５２ａから吹き出されると共に、下側通風路５０ｂを介して下側吹出口５２ｂから吹き出される。
【００６７】
ファンモータ６１は、上述したように、ファンユニット６０の背面に立設するファン取付部５３ｄに取り付けられている。このファンモータ６１のモータ軸６１ａは、室内機１の前後方向（Ｙ方向）に延在し、その前後方向を回転軸方向として回転する。
【００６８】
ターボファン６２は、ファンモータ６１のモータ軸６１ａに取り付けられ、モータ軸６１ａの回転に従動して回転する。このターボファン６２は、対向配置された主板６３及び副板６４と、主板６３及び副板６４の間に設けられた複数の羽根６５とを含んでいる。
【００６９】
ファンモータ６１が作動すると、ターボファン６２が回転することにより、室内熱交換器１０を通過した空気がターボファン６２の内部に吸引されて、遠心方向に向かう空気流が発生する。そして、ターボファン６２の上部から吹き出された空気流は、上側通風路５０ａに沿って進行して、上側吹出口５２ａからケーシング５０の外部に吹き出される。また、ターボファン６２の下部から吹き出された空気流は、下側通風路５０ｂに沿って進行して、下側吹出口５２ｂからケーシング５０の外部に吹き出される。
【００７０】
＜固定部材＞
固定部材７０は、図３に示すように、ターボファン６２とファン取付部５３ｄとの間に取り付けられ、ターボファン６２を所定の位置に固定するものである。また、固定部材７０は、図５に示すように、長方形状の板状の部材であって、所定の厚みｄを備える。この厚みｄは、ターボファン６２とファン取付部５３ｄとの間の距離とほぼ等しく、固定部材７０は、ターボファン６２とファン取付部５３ｄとの間を埋める。
【００７１】
固定部材７０は、図４ないし図６に示すように、ファン取付部５３ｄに対する傾斜角度が変化する方向へのターボファン６２の移動を規制する規制部７０ａと、規制部７０ａから延出する延出部７０ｂとを備える。この規制部７０ａは、図５に示すように、円形状の孔７０ｃと、孔７０ｃに対して延出部７０ｂの延出方向と反対側の外端まで延在する第１切り込み７０ｄと、孔７０ｃから延出部７０ｂの延出方向に所定の長さだけ延在する第２切り込み７０ｅと、を備えている。この孔７０ｃは、図６に示すように、直径Ｒの孔であり、ファンモータ６１の断面の直径とほぼ一致する。延出部７０ｂの外端は、図３に示すように、固定部材７０を室内機１に取り付けた状態において、下側吹出口５２ｂの近傍に位置する。ここで、「近傍」とは、下側吹出口５２ｂから延出部７０ｂを把持し、延出部７０ｂを引っ張り出すことが可能な延出部７０ｂの外端が位置する領域をいう。したがって、室内機１を据え付けたあと、延出部７０ｂを把持し、図３に示す矢印方向に固定部材７０を引っ張り出すことにより、固定部材７０を室内機１から取り外すことができる。また、第１切り込み７０ｄの幅（Ｘ方向の幅）Ｗは、孔７０ｃの直径Ｒよりも狭く形成されている。
【００７２】
図７は、固定部材７０を室内機１の下側吹出口５２ｂから取り外す際の形状の変化を示す図である。図７に示す点線は、ターボファン６２の最外径の輪郭を示し、一点鎖線は、ファンモータ６１の輪郭を示す。図７（ａ）は、固定部材７０を室内機１に取り付けた状態における固定部材７０の正面から視た状態を模式的に示す。固定部材７０の孔７０ｃは、ファンモータ６１の断面と略同形状・略同面積を備えている。このため、固定部材７０は、室内機１の幅方向（Ｘ方向）及び上下方向（Ｚ方向）へと移動せず、固定部材７０の規制部７０ａは、所定の位置でターボファン６２の移動を規制する。室内機１が据え付けられ、固定部材７０の延出部７０ｂが把持され、固定部材７０が下方向（Ｚ方向）に引っ張られると、図７（ｂ）に示すように、ファンモータ６１と第１切り込み７０ｄの下端（孔７０ｃと第１切り込み７０ｄとの接続位置）とが接触し、第１切り込み７０ｄが幅方向（Ｘ方向）に開く。また、第1切り込み７０ｄが開くのに従って、孔７０ｃに対して第１切り込み７０ｄとは反対側に設けられている第２切り込み７０ｅも開き始める。そして、ファンモータ６１の最大径の位置が第１切り込みの下端（孔７０ｃと第１切り込みとの接続位置）を通過するとき、図７（ｃ）に示すように、第１切り込み７０ｄ及び第２切り込み７０ｅが最大限に開く。そして、固定部材７０は、室内機１の下側吹出口５２ｂから取り外される。
【００７３】
[変形例]
固定部材の形状は、上記の固定部材７０の形状に限らず、種々の形状を用いることができる。
【００７４】
例えば、固定部材は、図８及び図９に示すような固定部材７１（第１例）であってもよい。この固定部材７１は、中央部を貫通する孔７１ｃから延出部７１ｂの延出方向に沿う切り込み（固定部材７０における第２切り込み７０ｅに対応する切り込み）が設けられていない点で、上記の固定部材７０と異なる。ただし、固定部材７１は、固定部材７０と同様に、ファンモータ６１の輪郭と同程度の直径を備える孔７１ｃ、及び、この孔７１ｃから規制部７１ａ側の外端まで延在する切り込み７１ｄ、を備えている。
【００７５】
この固定部材７１は、孔７１ｃにファンモータ６１を貫通させてファンモータ６１とファン取付部５３との間の隙間を埋めることでターボファン６２の移動を規制する。さらに、延出部７１ｂが把持され、下方向（Ｚ方向）に引っ張られることにより、ファンモータ６１が切り込み７１ｄを通過し、固定部材７１が室内機１から取り外される。
【００７６】
また、例えば、固定部材は、図１０及び図１１に示すような固定部材７２（第２例）であってもよい。この固定部材７２は、中央部を貫通する孔７２ｃから延出部７２ｂの延出方向に沿う切り込みが設けられていない点、及び、孔７２ｃと第２切り込み７２ｅとが一体に形成され、孔７２ｃの幅（直径Ｒ）と孔７２ｃから規制部の外端へ向けて延在する切り込み７２ｄの幅とが略同一である点で、上記固定部材７０と異なる。
【００７７】
この固定部材７２は、孔７２ｃにファンモータ６１を貫通させてファンモータ６１とファン取付部５３との間の隙間を埋めることでターボファン６２の移動を規制する。さらに、延出部７２ｂが把持され、下方向（Ｚ方向）に引っ張られることにより、ファンモータ６１が切り込み７２ｄを通過して、固定部材７２が室内機１から取り外される。なお、引っ張り出される際に、ファンモータ６１と固定部材７２とは接触せず、固定部材７２が幅方向（Ｘ方向）に広がることがない。したがって、固定部材７２がその両端（Ｘ方向に関して両端）にある室内機１の他の部材と接触することがないため、スムーズに取り外すことができる。
【００７８】
また、例えば、固定部材は、図１２及び図１３に示すような固定部材７３（第３例）であってもよい。この固定部材７３は、孔７３ｃと第２切り込み７３ｅとが一体に形成され、孔７３ｃの幅（直径Ｒ）と孔７３ｃから規制部の外端へ向けて延在する切り込み７３ｄの幅とが略同一である点で、上記固定部材７０と異なる。
【００７９】
この固定部材７３も、孔７３ｃにファンモータ６１を貫通させてファンモータ６１とファン取付部５３との間の隙間を埋めることでターボファン６２の移動を規制する。さらに、延出部７３ｂが把持され、下方向（Ｚ方向）に引っ張られることにより、ファンモータ６１が切り込み７３ｄを通過して、固定部材７３が室内機１から取り外される。なお、引っ張り出される際に、ファンモータ６１と固定部材７３とは接触せず、固定部材７３が幅方向（Ｘ方向）に広がることがない。したがって、固定部材７３がその両端（Ｘ方向に関して両端）にある室内機１の他の部材と接触することがないため、スムーズに取り外すことができる。
【００８０】
さらに、例えば、固定部材は、図１４及び図１５に示すような固定部材７４（第４例）であってもよい。この固定部材７４は、第１切り込み７４ｄの両端（幅方向（Ｘ方向）の両端）の外端に第１切り欠き７４ｇ及び７４ｆと、孔７４ｃの延出部７４ｂ側の中央部分の外端に略三角形状の第２切り欠き７４ｈと、が設けられている点で、上記固定部材７０と異なる。
【００８１】
この第２切り欠き７４ｈは、孔７４ｃに対して第１切り込み７４ｄと反対側に形成されている。また、孔７４ｃより上側の第１切り込み７４ｄ側の部分の全幅は、孔７４ｃより延出部７４ｂ側の部分の全幅よりも狭くなっている。さらに、第１切り込み７４ｄが延在する外端に近づくにつれて全幅が狭い。
【００８２】
この固定部材７４も、孔７４ｃにファンモータ６１を貫通させてファンモータ６１とファン取付部５３との間の隙間を埋めることでターボファン６２の移動を規制する。さらに、延出部７４ｂが把持され、下方向（Ｚ方向）に引っ張られることにより、ファンモータ６１が切り込み７４ｄを通過して、固定部材７４が室内機１から取り外される。
【００８３】
図１６は、この固定部材７４を室内機１から取り外す際の固定部材７４の形状の変化を示す図である。固定部材７４は、室内機１を据え付けるまで、図１６（ａ）に示すように、孔７４ｃにファンモータ６１を貫通させてファンモータ６１とファン取付部５３との間の隙間を埋めて、ターボファン６２の移動を規制している。
【００８４】
次に、固定部材７４を下方向（Ｚ方向）に引っ張る。すると、ファンモータ６１が孔７４ｃと第１切り込み７４ｄとの接続部分に接触して第１切り込み７４ｄの両端が幅方向（Ｘ方向）に開くが、第１切り欠き７４ｆ、７４ｇを設けたことによって、規制部７４ａの幅は、規制部７４ａを閉じた状態における固定部材７４の全体の幅Ａ以下となる。また、延出部７４ｂは、中央部に第２切り欠き７４ｈを設けることによって、第２切り欠き７４ｈの両端が第２切り欠き７４ｈに向かって移動することが可能となり、延出部７４ｂ全体の幅も、規制部７４ａを閉じた状態における固定部材７４の全体の幅Ａ以下となる。したがって、固定部材７４全体の幅もＡ以下となる。
【００８５】
さらに固定部材７４を引っ張ると、固定部材７４全体の形状は、図１６（ｃ）に示す形状となる。このとき、孔７４ｃと第１切り込み７４ｄとの接続部分の幅は、ファンモータ６１の直径と同程度となり、第１切り込み７４ｄの開口幅も最大となる。しかしながら、この場合にも、規制部７４ａの両端は、第１切り欠き７４ｆ、７４ｇを設けたことによって、規制部７４ａの幅は、規制部７４ａを閉じた状態における固定部材７４の全体の幅Ａ以下となる。また、延出部７４ｂ全体の幅も、中央部に第２切り欠き７４ｈを設けることによって、規制部７４ａを閉じた状態における固定部材７４の全体の幅Ａ以下となる。したがって、固定部材７４全体の幅もＡ以下となる。したがって、固定部材７４を取り外す際に、固定部材７４が室内機１の他の部材と接触することがないため、固定部材７４をスムーズに取り外すことができる。
【００８６】
なお、固定部材７０〜７４は、例えばポリエチレン又はウレタン樹脂等の発泡材で構成されている。
【００８７】
この他にも、例えば、固定部材をダンボールで構成してもよい。このような固定部材として、例えば、図１７に示すような固定部材７５（第５例）であってもよい。この固定部材７５は、所定の厚みを備えたダンボールから構成され、規制部７５ａ、規制部７５ａから延在する延出部７５ｂと、を備え、規制部７５ａの厚みは、固定部材７０〜７４の規制部と同一の厚みと同一である。規制部７５ａは、略中央部に直径Ｒの孔７５ｃと、この孔７５ｃから規制部７５ａ外端まで延在する第１切り込み７５ｃと、この孔７５ｃから第１切り込み７５ｄと反対方向に延在する第２切り込み７５ｅと、を備えている。
【００８８】
［第１実施形態に係る固定部材７０〜７５の特徴］
第１の実施形態に係る固定部材７０には、以下のような特徴がある。
【００８９】
第１実施形態の固定部材７０〜７５では、ファン取付部５３ｄに対する傾斜角度が変化する方向へのターボファン６２の移動を規制することにより、ファンモータ６１のモータ軸６１ａへの負荷が軽減され、室内機１の輸送時等におけるファンモータ６１のベアリングの損傷を防止することができる。また、室内機１の輸送時において、ターボファン６１とファン取付部５３ｄとが衝突することによって各部材が損傷するのを、防止することができる。
【００９０】
また、第１実施形態では、ケーシング５０が備える下側吹出口５２ｂにおいて固定部材７０〜７５の延出部７０ｂ〜７５ｂを引っ張り出すことにより、固定部材７０〜７５を室内機１から容易に取り外すことができる。
【００９１】
また、第１実施形態では、ターボファン６２の駆動部であるファンモータ６１が固定部材７０〜７５の第１切り込み７０ｄ〜７５ｄを通過する際に、第１切り込み７０ｄ〜７５ｄが延出部７０ｂ〜７５ｂの延出方向に沿って開くため、固定部材７０〜７５をさらに容易に取り外すことができる。
【００９２】
また、第１実施形態では、第１切り込み７０ｄ，７１ｄ，７４ｄ，７５ｄの幅が孔７０ｃ，７１ｃ，７４ｃ，７５ｃの径よりも狭いため、孔７０ｃ，７１ｃ，７４ｃ，７５ｃを通過しているファンモータ６１が第１切り込み７０ｄ，７１ｄ，７４ｄ，７５ｄから容易に外れることなく、ターボファン６２を確実に固定することができる。
【００９３】
また、第１実施形態では、第１切り込み７２ｄ，７３ｄの幅が孔７２ｃ，７３ｃの径と略同一であるため、固定部材７２，７３を取り外す際に、固定部材７２，７３が室内機１の他の部材と接触することなく、容易に取り外すことができる。
【００９４】
また、第１実施形態では、ターボファン６２の駆動部であるファンモータ６１が第１切り込み７０ｄ，７３ｄ〜７５ｄを通過する際に、固定部材７０，７３〜７５の孔７０ｃ，７３ｃ〜７５ｃに対して第１切り込み７０ｄ，７３ｄ〜７５ｄとは反対側に設けられた第２切り込み７０ｅ，７３ｅ〜７５ｅが延出部７０ｂ，７３ｂ〜７５ｂの延出方向に沿って開くため、固定部材７０，７３〜７５を延出方向に沿って容易に引き出すことができる。
【００９５】
また、第１実施形態では、第１切り込み７４ｄの両端の外端には、第１切り欠き７４ｆ、７４ｇが形成されており、さらに、孔７４ｃから延出部７４ｂ側の部分の外端には、第２切り欠き７４ｈが形成されている。そして、孔７４ｃから第１切り込み７４ｄ側の部分の全幅は、孔７４ｃより延出部７４ｂ側の部分の全幅より狭く、固定部材７４の全幅は、第１切り込み７４ｄが延在する外端に近くづくにつれて狭くなっている。このため、固定部材７４を室内機１から引っ張り出す際に、固定部材７４がその幅方向（Ｘ方向）に広がることがなく、スムーズに取り外すことができる。
【００９６】
［第２実施形態］
図１８は、本発明の第２実施形態に係る固定部材を備えた空気調和機の室内機の断面を示した図である。図１８を参照して、本発明の第２実施形態に係る固定部材について説明する。
【００９７】
第１実施形態に係る固定部材７０〜７５は、ファンモータ６１とファン取付部５３ｄとの間の隙間を埋めることにより、ファンモータ６１の移動を規制した。一方、第２実施形態に係る固定部材１７０は、図１８に示すように、上側吹出口５２ａ内に設けられている吹出口支持部４０とターボファン６２とを連結する。これにより、ターボファン６１がファン取付部５３ｄに対する傾斜角度が変化する方向へ移動するのを規制する。固定部材１７０は、例えばワイヤで構成され、ターボファン６１の重量によって破断することのない程度の所定の引張強度を有する。
【００９８】
［第２実施形態に係る固定部材１７０の特徴］
第２の実施形態に係る固定部材１７０には、以下のような特徴がある。
【００９９】
第２実施形態の固定部材１７０では、固定部材１７０上側吹出口５２ａ内に設けられている吹出口支持部４０とターボファン６２とを連結することにより、ファン取付部５３ｄに対する傾斜角度が変化する方向へのターボファン６２の移動を規制することができるため、室内機４の輸送時等におけるファンモータ６１のベアリングが損傷するのを防止することができる。また、吹出口支持部４０において固定部材１７０を切断して上側吹出口５２ａから引っ張り出すことにより、固定部材１７０を室内機４から容易に取り出すことができる。
【０１００】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【０１０１】
例えば、第１実施形態では、固定部材を室内機ケーシングの下側吹出口から取り外す例を示したが、これに限らず、上側吹出口から取り外せるようにしてもよい。
【０１０２】
また、例えば、第２実施形態では、固定部材が吹出口支持部とターボファンとを連結する場合のみについて説明したが、本発明はこれに限らず、ターボファンの移動をより確実に制限することが可能であれば、複数の固定部材を用いてもよい。例えば、下側吹出口に備え付けられているフラップとターボファンとを連結し、ターボファンを上下から固定するようにしてもよい。このような構成を採用することにより、ファン取付部に対する傾斜角度が変化する方向への遠心ファンの移動を、より確実に規制することが可能となる。
【産業上の利用可能性】
【０１０３】
本発明を利用すれば、遠心ファンのモータのベアリングの損傷を防止することができる。
【図面の簡単な説明】
【０１０４】
【図１】本発明の第１実施形態に係る空気調和システムの冷媒回路図である。
【図２】本発明の第１実施形態に係る室内機の外観を示す斜視図である。
【図３】本発明の第１実施形態に係る室内機の断面図である。
【図４】室内機に収納されたターボファンと固定部材との位置関係を示す図である。
【図５】本発明の第１実施形態に係る固定部材の外観を示す図である。
【図６】本発明の第１実施形態に係る固定部材の正面図である。
【図７】（ａ）、（ｂ）及び（ｃ）は、本発明の第１実施形態に係る固定部材を室内機から取り外す際の形状の変化を示す図である。
【図８】本発明の第１実施形態に係る固定部材の一例（第１例）の外観を示す図である。
【図９】本発明の第１実施形態に係る固定部材の一例（第１例）の正面図である。
【図１０】本発明の第１実施形態に係る固定部材の一例（第２例）の外観を示す図である。
【図１１】本発明の第１実施形態に係る固定部材の一例（第２例）の正面図である。
【図１２】本発明の第１実施形態に係る固定部材の一例（第３例）の外観を示す図である。
【図１３】本発明の第１実施形態に係る固定部材の一例（第３例）の正面図である。
【図１４】本発明の第１実施形態に係る固定部材の一例（第４例）の外観を示す図である。
【図１５】本発明の第１実施形態に係る固定部材の一例（第４例）の正面図である。
【図１６】（ａ）、（ｂ）及び（ｃ）は、本発明の第１実施形態に係る固定部材の一例（第４例）を室内機から取り外す際の形状の変化を示す図である。
【図１７】本発明の第１実施形態に係る固定部材の一例（第５例）の外観を示す図である。
【図１８】本発明の第２実施形態に係る室内機の断面図である。
【図１９】従来の空気調和機の外観を示す斜視図である。
【符号の説明】
【０１０５】
１，４  室内機（空調室内機）
２  室外機（空調室外機）
５２ａ  上側吹出口
５２ｂ  下側吹出口
５３ｂ  立設部
５３ｄ  ファン取付部
６１  ファンモータ
６１ａ  モータ軸
６２  ターボファン（遠心ファン）
７０，７１，７２，７３，７４，７５，１７０  固定部材
７０ａ，７１ａ，７２ａ，７３ａ，７４ａ，７５ａ，１７０ａ  規制部
７０ｂ，７１ｂ，７２ｂ，７３ｂ，７４ｂ，７５ｂ，１７０ｂ  延出部
７０ｃ，７１ｃ，７２ｃ，７３ｃ，７４ｃ，７５ｃ  孔
７０ｄ，７１ｄ，７２ｄ，７３ｄ，７４ｄ，７５ｄ  第１切り込み
７０ｅ，７３ｅ，７４ｅ，７５ｅ  第２切り込み
７４ｆ，７４ｇ  第１切り欠き
７４ｈ  第２切り欠き
１００  空気調和システム
【図１】
2010151389.tif 000003
【図２】
2010151389.tif 000004
【図３】
2010151389.tif 000005
【図４】
2010151389.tif 000006
【図５】
2010151389.tif 000007
【図６】
2010151389.tif 000008
【図７】
2010151389.tif 000009
【図８】
2010151389.tif 000010
【図９】
2010151389.tif 000011
【図１０】
2010151389.tif 000012
【図１１】
2010151389.tif 000013
【図１２】
2010151389.tif 000014
【図１３】
2010151389.tif 000015
【図１４】
2010151389.tif 000016
【図１５】
2010151389.tif 000017
【図１６】
2010151389.tif 000018
【図１７】
2010151389.tif 000019
【図１８】
2010151389.tif 000020
【図１９】
2010151389.tif 000021